(57)【要約】【課題】設備拡充が便利で、ネットワークシステムの構築コストを削減可能なＷＤＭ型光送受信装置を提供する。【解決手段】第一表面１１ａ、第一表面１１ａに凹む第一溝１１１及び第一信号接続端部１１０を有する第一搭載平台１１と、第一溝１１１に差し込まれる第一光フィルタ１２と、第一光フィルタ１２の隣に設置される第一光検出器１３と、第一光フィルタ１２の隣に設置されるレーザダイオード１４と、を有する光送受信アセンブリ１０と、光送受信アセンブリ１０の一辺に設置され、第二表面２１ａ、第二表面２１ａに凹む第二溝２１１及び第二信号接続端部２１０を有する第二搭載平台２１と、第二溝２１１に差し込まれる第二光フィルタ２２と、第二光フィルタ２２の隣に設置される第二光検出器２３と、第二光フィルタ２２の隣に設置される第一端部２４ａと第二端部２４ｂとを有する接続ファイバー２４と、を有する光受信アセンブリ２０と、を備える。【選択図】図１
0003142004.tif 000002
【実用新案登録請求の範囲】
【請求項１】
光送受信アセンブリおよび前記光送受信アセンブリの一辺に設置される光受信アセンブリから成るWDM型光送受信装置であって、
前記光送受信アセンブリは、第一表面、前記第一表面で凹む第一溝及び第一信号接続端部を有する第一搭載平台と、
前記第一溝に差し込まれる第一光フィルタと、
前記第一光フィルタの隣に設置される第一光検出器と、
前記第一光フィルタの隣に設置されるレーザダイオードと、を有し、
前記光受信アセンブリは、第二表面、前記第二表面で凹む第二溝及び第二信号接続端部を有する第二搭載平台と、
前記第二溝に差し込まれる第二光フィルタと、
前記第二光フィルタの隣に設置される第二光検出器と、
第一端部と第二端部とを有し前記第一端部は前記第二光フィルタの隣に設置される接続ファイバーと、を有することを特徴とするWDM型光送受信装置。
【請求項２】
前記光送受信アセンブリは、さらに第一ファイバーを有し、前記第一ファイバーは前記第一搭載平台の前記第一信号接続端部に設置され、
前記光受信アセンブリは、さらに第二ファイバーを有し、前記第二ファイバーは前記第二搭載平台の前記第二信号接続端部に設置されることを特徴とする請求項１に記載のWDM型光送受信装置。
【請求項３】
前記光送受信アセンブリの前記第一ファイバーは、第一エンドと第二エンドとを有し、
前記第一エンドは、前記第一光フィルタの隣に設置され、
前記接続ファイバーの前記第二端部は、前記第一ファイバーの前記第二エンドに接続可能であることを特徴とする請求項２に記載のWDM型光送受信装置。
【請求項４】
前記第一ファイバーの前記第二エンドには第一ファイバーコネクタを設置し、
前記接続ファイバーの前記第二端部には第二ファイバーコネクタを設置し、
前記第二ファイバーコネクタは前記第一ファイバーコネクタと接続可能であることを特徴とする請求項３に記載のWDM型光送受信装置。
【請求項５】
前記光受信アセンブリの前記第二光フィルタは、光分岐面及び前記光分岐面に相対する背面を有し、
前記第二ファイバーの一端は、前記第二光フィルタの前記光分岐面の隣に設置されることを特徴とする請求項２に記載のWDM型光送受信装置。
【請求項６】
前記接続ファイバーの前記第一端部は、前記第二光フィルタの前記光分岐面の隣に設置されることを特徴とする請求項５に記載のWDM型光送受信装置。
【請求項７】
前記第二光検出器は、前記第二光フィルタの背面の隣に設置されることを特徴とする請求項５に記載のWDM型光送受信装置。
【請求項８】
前記第二搭載平台の前記第二表面で凹む反射溝を有し、
前記反射溝は、前記第二溝と連通し、
前記接続ファイバーの前記第一端部は、前記反射溝の中に固定されることを特徴とする請求項１に記載のWDM型光送受信装置。
【考案の詳細な説明】
【技術分野】
【０００１】
本考案は一種の光送受信装置に関し、特に一種のＷＤＭ（wavelength division multiplexer）型光送受信装置に関する。
【背景技術】
【０００２】
ＦＴＴＨ（Fiber To The Home）は、様々なソリューションが提案されているが、その中で受動光綱（Passive Optical Network、ＰＯＮ）が現在の光信号の受け入れ方式として主流であり、ＧＰＯＮやＥＰＯＮに運用されるデュプレクサ（Diplexer）とトリプレクサ（Triplexer）の技術は特に高く評価されている。受動光綱構成において、加入者接続装置（Optical Network Unit、ＯＮＵ）に取り付けたデュプレクサは、主に上り波長１３１０ｎｍ光信号を出しかつ下り波長１４９０ｎｍ光信号を受け入れることにより、上りと下りの情報伝送が実現できる。また、加入者接続装置に取り付けたトリプレクサは、上述デュプレクサの機能を行うことだけではなく、ＣＡＴＶ（Community Antenna Television）信号伝送に使用される下り波長１５５０ｎｍ光信号をも受け入れるが、デュプレクサよりも高価である。これにより、通信システム業者は光通信ネットワークの建設に対してトリプレクサ、デュプレクサのいずれを選ぶかが難しくなる。高コストのトリプレクサを採用する場合はＣＡＴＶ信号の使用普及率が低いと産業利益が生じない。一方、低コストのデュプレクサを採用する場合は将来ＣＡＴＶ信号の使用普及率が高くなることに対応できない。よって、如何に上述問題を解決するかということは相当重要な課題となる。
【考案の開示】
【考案が解決しようとする課題】
【０００３】
本考案の主な目的は、設備拡充が便利で、ネットワークシステムの構築コストを大幅に削減可能なＷＤＭ型光送受信装置を提供することである。
【課題を解決するための手段】
【０００４】
上記目的を達成するため、本考案に係るＷＤＭ型光送受信装置は、光送受信アセンブリと光受信アセンブリとを備え、光送受信アセンブリは第一搭載平台、第一光フィルタ、第一光検出器及びレーザダイオードを有する。第一搭載平台は第一表面、第一表面に凹む第一溝及び第一信号接続端部を有する。第一光フィルタは第一溝に差し込まれる。第一光検出器とレーザダイオードとは第一光フィルタの隣に設置される。また、光受信アセンブリは光送受信アセンブリの一辺に設置され、第二搭載平台、第二光フィルタ、第二光検出器及び接続ファイバーを備える。第二搭載平台は第二表面、第二表面に凹む第二溝及び第二信号接続端部を有する。第二光フィルタは第二溝に差し込まれる。第二光検出器は第二光フィルタの隣に設置される。接続ファイバーは第二光フィルタの隣に設置される第一端部と第二端部とを有する。ＯＮＵからＣＡＴＶ信号の使用要求がない場合、光通信ネットワーク接続端部を光送受信アセンブリに接続させることができ、光送受信アセンブリを介して上りと下り（１３１０ｎｍ／１４９０ｎｍ）の情報伝送を行う。また、ＯＮＵからＣＡＴＶ信号の使用要求があった場合、光通信ネットワーク接続端部を光受信アセンブリに接続させ、かつ、光受信アセンブリの接続ファイバーを光送受信アセンブリに接続させることにより、光受信アセンブリと光送受信アセンブリを用いて同時に上りと下り（１３１０ｎｍ／１４９０ｎｍ／１５５０ｎｍ）の情報伝送を実行する。本考案は、需要に応じ光送受信装置をデュプレクサ若しくはトリプレクサに変更してユーザーに提供することができ、経済的メリットでは設備拡充が便利となるとともに、周知のトリプレクサよりも安価であるため、ネットワークシステムの構築コストの大幅な削減を可能にする。
【考案を実施するための最良の形態】
【０００５】
（一実施形態）
本考案の一実施形態によるＷＤＭ型光送受信装置を図１に示す。ＷＤＭ型光送受信装置は２チャンネル（１３１０ｎｍ／１４９０ｎｍ）及び３チャンネル（１３１０ｎｍ／１４９０ｎｍ／１５５０ｎｍ）光信号を扱うことに使用され、光送受信アセンブリ１０、光受信アセンブリ２０及び枠体３０を備える。光送受信アセンブリ１０は第一搭載平台１１、第一光フィルタ１２、第一光検出器１３、レーザダイオード１４、第一ファイバー１５、第四ファイバー１６及び第五ファイバー１７を有する。第一搭載平台１１は枠体３０の内に設置され、第一表面１１ａ、第一表面１１ａに凹む第一溝１１１及び第一信号接続端部１１０を有する。
第一光フィルタ１２は第一溝１１１に差し込まれる。第一光検出器１３は第一光フィルタ１２の隣に設置され、波長１４９０ｎｍ光信号の受け入れができる。レーザダイオード１４は第一光フィルタ１２の隣に設置され、波長１３１０ｎｍ光信号を出すことができる。第一ファイバー１５は第一信号接続端部１１０に設置され、第一エンド１５ａと第二エンド１５ｂとを有する。第一エンド１５ａは第一光フィルタ１２の隣に設置される。第二エンド１５ｂには第一ファイバーコネクタ１５１が設置される。また、第四ファイバー１６は第一光検出器１３と第一光フィルタ１２との間に設置され、第五ファイバー１７はレーザダイオード１４と第一光フィルタ１２との間に設置される。なお、第一ファイバー１５、第四ファイバー１６及び第五ファイバー１７はレンズファイバー（lens fiber）であればより好ましい。
【０００６】
図１及び図２に示すように、光受信アセンブリ２０は光送受信アセンブリ１０の一辺に設置され、第二搭載平台２１、第二光フィルタ２２、第二光検出器２３、接続ファイバー２４、第二ファイバー２５及び第三ファイバー２６を有する。第二搭載平台２１は枠体３０の内に設置され、第二表面２１ａ、第一側部２１ｂ、第一側部２１ｂに向かい合う第二側部２１ｃ、第二表面２１ａに凹む第二溝２１１、第二表面２１ａに凹む反射溝２１２及び第二信号接続端部２１０を有する。ここで、第二溝２１１は第一側部２１ｂと第二側部２１ｃとに連通し、反射溝２１２は第二溝２１１と連通している。
第二光フィルタ２２は第二溝２１１に差し込まれ、光分岐面２２ａ及び光分岐面２２ａに相対する背面２２ｂを有する。光分岐面２２ａは波長１３１０ｎｍ及び波長１４９０ｎｍ光信号を反射することができ、波長１５５０ｎｍ光信号を通過させる。第二光検出器２３は第二光フィルタ２２の背面２２ｂの隣に設置され、波長１５５０ｎｍ光信号を受け入れることができる。接続ファイバー２４は第一端部２４ａと第二端部２４ｂとを有する。第一端部２４ａは第二光フィルタ２２の光分岐面２２ａの隣に設置され、反射溝２１２の中に固定されることができる。
本実施形態において、第一端部２４ａにはレンズ構成２４１を形成し、第二端部２４ｂは光送受信アセンブリ１０の第一ファイバー１５の第二エンド１５ｂに接続されることができ、第二ファイバーコネクタ２４２を設置すればより好ましい。第二ファイバーコネクタ２４２は第一ファイバー１５の第一ファイバーコネクタ１５１と接続することができる。
再び図１を参照し、第二ファイバー２５は第二搭載平台２１の第二信号接続端部２１０に設置され、かつ第二ファイバー２５の一端は第二光フィルタ２２の光分岐面２２ａの隣に設置されている。本実施形態において、接続ファイバー２４の第一端部２４ａと第二ファイバー２５とはおよそ９０°をなす。また、第三ファイバー２６は第二光検出器２３と第二光フィルタ２２との間に設置されている。第二ファイバー２５と第三ファイバー２６とはレンズファイバー（lens fiber）であればより好ましい。
【０００７】
本実施形態による２チャンネル（１３１０ｎｍ／１４９０ｎｍ）光信号を扱う作動を図３を参照し、説明する。先ず、光送受信アセンブリ１０の第一ファイバー１５の第二エンド１５ｂを光通信ネットワーク接続端部４０に接続する。この場合、光受信アセンブリ２０は作動せず、光送受信アセンブリ１０のみで２チャンネル（１３１０ｎｍ／１４９０ｎｍ）光信号を扱っている。ここで、レーザダイオード１４から出す上り波長１３１０ｎｍ光信号は送信に使用される。レーザダイオード１４から出した波長１３１０ｎｍ光信号は、最初に第五ファイバー１７へ進入し、次に第一光フィルタ１２に反射して第一ファイバー１５へ進入し、最後に光通信ネットワーク接続端部４０を介して上り送出される。また、第一光検出器１３は下り波長１４９０ｎｍ光信号を受け取ることに使用される。下り波長１４９０ｎｍ光信号は、光通信ネットワーク接続端部４０を介して第一ファイバー１５へ進入し、次に第一光フィルタ１２を通過して第四ファイバー１６へ進入し、最後に第一光検出器１３に受け取られる。
【０００８】
また、本実施形態による３チャンネル（１３１０ｎｍ／１４９０ｎｍ／１５５０ｎｍ）光信号を扱う作動を図４を参照し、説明する。先ず、光受信アセンブリ２０の第二ファイバー２５の一端を光通信ネットワーク接続端部４０に接続するとともに、接続ファイバー２４の第二ファイバーコネクタ２４２を光送受信アセンブリ１０の第一ファイバー１５の第一ファイバーコネクタ１５１に接続する。この場合、３チャンネル（１３１０ｎｍ／１４９０ｎｍ／１５５０ｎｍ）光信号を扱うため、光受信アセンブリ２０と光送受信アセンブリ１０とは同時に作動している。ここで、レーザダイオード１４から出す上り波長１３１０ｎｍ光信号は送信に使用される。レーザダイオード１４から出した波長１３１０ｎｍ光信号は、最初に第五ファイバー１７へ進入し、次に第一光フィルタ１２に反射されて第一ファイバー１５へ進入し、次に接続ファイバー２４へ進入して再び第二光フィルタ２２に反射しててから第二ファイバー２５へ進入し、最後に光通信ネットワーク接続端部４０を介して上り送出される。また、第二光検出器２３は下り波長１５５０ｎｍ光信号を受け取ることに使用される。第一光検出器１３は下り波長１４９０ｎｍ光信号を受け取ることに使用される。下り波長１５５０ｎｍ光信号は、最初に光通信ネットワーク接続端部４０を介して第二ファイバー２５へ進入し、次に第二光フィルタ２２を通過して第三ファイバー２６へ進入し、最後に第二光検出器２３に受け取られる。なお、下り波長１４９０ｎｍ光信号は、最初に光通信ネットワーク接続端部４０を介して第二ファイバー２５へ進入し、次に第二光フィルタ２２に反射して接続ファイバー２４へ進入し、次に第一ファイバー１５へ進入して再び第一光フィルタ１２を通過してから第四ファイバー１６へ進入し、最後に第一光検出器１３に受け取られる。
以上、本考案をその好適な実施形態に基づいて説明したが、本考案の保護範囲は実用新案登録請求の範囲で限定され、この保護範囲を基準に本考案の精神の範囲内に触れるどのような変更や修正であっても本考案の保護範囲に属する。
【図面の簡単な説明】
【０００９】
【図１】本考案の一実施形態によるＷＤＭ型光送受信装置を示す模式図である。
【図２】本考案の一実施形態によるＷＤＭ型光送受信装置を示す模式図である。
【図３】本考案の一実施形態によるＷＤＭ型光送受信装置において、２チャンネル光信号を扱う作動方式を示す模式図である。
【図４】本考案の一実施形態によるＷＤＭ型光送受信装置において、３チャンネル光信号を扱う作動方式を示す模式図である。
【符号の説明】
【００１０】
１０：光送受信アセンブリ、１１：第一搭載平台、１１ａ：第一表面、１１０：第一信号接続端部、１１１：第一溝、１２：第一光フィルタ、１３：第一光検出器、１４：レーザダイオード、１５：第一ファイバー、１５ａ：第一エンド、１５ｂ：第二エンド、１５１：第一ファイバーコネクタ、１６：第四ファイバー、１７：第五ファイバー、２０：光受信アセンブリ、２１：第二搭載平台、２１ａ：第二表面、２１ｂ：第一側部、２１ｃ：第二側部、２１０：第二信号接続端部、２１１：第二溝、２１２：反射溝、２２：第二光フィルタ、２２ａ：光分岐面、２２ｂ：背面、２３：第二光検出器、２４：接続ファイバー、２４ａ：第一端部、２４ｂ：第二端部、２４１：レンズ構成、２４２：第二ファイバーコネクタ、２５：第二ファイバー、２６：第三ファイバー、３０：枠体、４０：光通信ネットワーク接続端部
【図１】
0003142004.tif 000003
【図２】
0003142004.tif 000004
【図３】
0003142004.tif 000005
【図４】
0003142004.tif 000006